(57)【要約】【課題】コストや手数を増大させることなく、紫外線による分解や雨水による流出を最小限に抑えることにより、減農薬を実現することができる混合農薬を提供することができる。また、グリーンの表層から３０〜４０ｃｍの層厚に展開する床土を長期に渡って透水性の高い状態に維持することにより芝の根つきを改善したグリーンの床土構造を提供する。【解決手段】除草剤、殺菌剤、或いは殺虫剤等の農薬に対して、該農薬の耐候性、特に紫外線に対する耐久性を高めるための紫外線カット性能を備えた固着剤を添加した混合農薬。【選択図】      図１
2004269391.tif 000002
【特許請求の範囲】
【請求項１】
除草剤、殺菌剤、或いは殺虫剤等の農薬に対して、該農薬の耐候性、特に紫外線に対する耐久性を高めるための紫外線カット性能を備えた固着剤を添加したことを特徴とする混合農薬。
【請求項２】
前記固着剤は、オレフィン系、酢酸ビニル、アクリル樹脂系、パラフィンワックスのうちの少なくとも何れか一種であることを特徴とする請求項１に記載の混合農薬。
【請求項３】
砂を主体としたゴルフ場のグリーンの床土において、
前記砂の粒径分布、及び各粒径範囲に属する砂の配合％を、
粒径０．１〜０．２５ｍｍの粗砂を、５％未満
粒径０．２５〜０．５ｍｍの粗砂を、５〜１０％
粒径０．５〜１．５ｍｍの粗砂を、７０〜８０％
粒径１．５〜２．０ｍｍの粗砂を、１０〜１５％
粒径２．０ｍｍ以上の礫を、５％未満
としたことを特徴とするグリーンの床土構造。
【発明の詳細な説明】
【０００１】
【発明の属する技術分野】
本発明は主としてゴルフ場のグリーンやフェアウェイ等に生育する芝、その他の植物に使用する農薬の改良、及びグリーンの床土の改良に関するものである。
【０００２】
【従来の技術】
［第１の従来例］
ゴルフ場では、グリーンやフェアウェイ等に生育する芝、その他の植物に対して除草剤、殺菌剤、殺虫剤等の農薬を散布することにより、雑草、有害菌、害虫等を排除しているが、散布した農薬は、太陽光中の紫外線による分解作用によって経時的に約半分量が農薬としての効果を喪失するため、紫外線による分解がない場合に想定される有効期間の約半分の期間経過後に更に同量を散布せねばならないという状況にある。また、大量に農薬を散布した場合には、雨水により流された余剰農薬が地下水や河川に流入して水質汚濁を招く原因となり易い。また、農薬が空気中に飛散すると、飛散した農薬が周辺環境に対する悪影響を及ぼすことが明らかである。
しかし、当初から農薬量を大幅に減少させると、その効果が大幅に減殺されるため、紫外線による効果の喪失分を予め見越して、必要量の２倍程度の農薬を散布するのが実情であり、そのため農薬量の増量による上記の如き弊害を増進させる結果となっている。
【０００３】
［第２の従来例］
次に、ゴルフ場におけるグリーンは、プレイヤーにとっては大半のストロークを費やす場所であり、ゴルフ場全体から見ても１．５〜２．５％程度の狭い面積を占めるに過ぎないのにも拘わらず、そのコンディション作りは最重要視されている。具体的には、ショットや踏圧によるコンパクションに耐えるグリーン、正しく打たれたボールを正しく受け止めるグリーン、品質の良い芝生を育成できるグリーン、といった各種条件を満たすようにグリーンメンテナンスには最大限の配慮がなされる。
グリーンの床土には、一年を通じてグリーン上の芝の刈高として、４．５ｍｍ程度を主流とする品質のよい状態に維持し、しかも適度の硬さと弾力を有することが求められる。そのような条件を満たすためには、固結しない排水の良い砂層０〜５ｃｍ位の砂面の水分率が４０〜５０％で、下層５〜２０ｃｍまでの水分率が５５〜７０％（８０％）のサンドコンパクションが求められ、その為には保肥力（ＣＥＣ）は２．５〜３．５ｍｌあれば十分であり、透水率としては３００〜５００位が要求される。グリーンの床土に芝が根を張る深さ範囲は、２０ｃｍ未満であるが、通常は、砂、粘土、シルト等から成る床土の層厚は３０〜４０ｃｍ程度に設定されている。
【０００４】
ところで、造成してから年数が経過するに連れて表土（土壌）の物理性に変化が生じる。人や機械による踏圧や降雨等の自然現象によって土壌が固結して排水（透水）性が悪化する。このような原因は、日本全体のゴルフ場のグリーンの床土構造の９５％を占める米国方式（ＵＳＧＡ方式）の工法による致命的な欠陥にあることに本発明者は気づいた。
グリーンの床土は砂を主体とし、粘土、シルト等を意図的に混合しており、米国方式では、図２に示す如く、粘土、シルトを含んだ砂の配合にて床土が構成される。このような米国方式によるグリーンの床土構造においては、粘土やシルトを含んだ点のみならず、砂粒の粒径の組み合わせの点で問題があり、経時的に均等な地下排水構造を構築することが困難となる。即ち、図３（ａ）（ｂ）（ｃ）は何れも米国方式の砂粒の組み合わせ例を示しており、同図（ａ）のように粒径差が大きい場合と、（ｃ）のように粒径の違う粒子が幅広く混合している砂は固まりやすく目詰まりしやすい床土となる。逆に、（ｂ）の場合は粒径差が極端に大きくないので、（ａ）（ｃ）の場合ほど目詰まりは起こりにくい。しかし、（ｂ）の場合、粒径０．５ｍｍ程度の小さい粒子が混ざっているため、これが経時的に固まりやすく、目詰まりし易くなる原因となる。また、図３（ａ）（ｂ）（ｃ）のように、粒径が０．２５〜０．５ｍｍ程度の小さい砂を多く使用する場合には、外観が優れると共に、最初の３〜４年間は根つきがよくなるが、その後は透水性が低下して水分過剰な状態となり、表面が乾燥し難くなる。
【０００５】
【発明が解決しようとする課題】
［第１の目的］
従来の農薬の使用方法においては、紫外線による分解量や、雨水による流出量を予め計算した上で、予め多めの農薬を使用していたため、農薬による弊害を防止することができなかった。
本発明は上記に鑑みてなされたものであり、コストや手数を増大させることなく、紫外線による分解や雨水による流出を最小限に抑えることにより、減農薬を実現することができる混合農薬を提供することを目的とする。
［第２の目的］
従来のグリーンの床土においては、粘土やシルトを使用するばかりでなく、粒径が０．２５〜０．５ｍｍ程度の微小粒から成る砂を多量に使用していたため、新規に造成してから３〜４年を経過すると、透水性が低下して芝の根つきが悪くなるという問題点を有していた。
本発明は上記に鑑みてなされたものであり、グリーンの表層から３０〜４０ｃｍの層厚に展開する床土を長期に渡って透水性の高い状態に維持することにより芝の根つきを改善したグリーンの床土構造を提供することを目的とする。
【０００６】
【課題を解決するための手段】
上記課題を解決するため、請求項１の発明に係る混合農薬は、除草剤、殺菌剤、或いは殺虫剤等の農薬に対して、該農薬の耐候性、特に紫外線に対する耐久性を高めるための紫外線カット性能を備えた固着剤を添加したことを特徴とする。
請求項２の発明に係る混合農薬は、請求項１において、前記固着剤は、オレフィン系、酢酸ビニル、アクリル
樹脂系、パラフィンワックスのうちの少なくとも何れか一種であることを特徴とする。
請求項３の発明に係るグリーンの床土構造は、砂を主体としたゴルフ場のグリーンの床土において、前記砂の粒径分布、及び各粒径範囲に属する砂の配合％を、粒径０．１〜０．２５ｍｍを、５％未満、粒径０．２５〜０．５ｍｍを、５〜１０％、粒径０．５〜１．５ｍｍを、７０〜８０％、粒径１．５〜２．０ｍｍを、１０〜１５％、粒径２．０ｍｍ以上を、５％未満、としたことを特徴とする。
【０００７】
【発明の実施の形態】
以下、本発明を図面に示した実施の形態により詳細に説明する。
［第１の実施形態］
本発明の第１の実施形態に係る混合農薬は、例えばゴルフ場のグリーン、ティーグラウンド、フェアウェイ等に育成する芝草等の植物に散布する除草剤、殺菌剤、或いは殺虫剤等の農薬に対して、その耐候性、特に紫外線に対する耐久性を高めるために紫外線カット性能を備えた固着剤を添加した点が特徴的である。
まず、ゴルフ場において、使用する農薬としては、次の如き助走債、殺菌剤、殺虫剤を例示することができる。
2004269391.tif 000003
次に、固着剤としては、オレフィン系、酢酸ビニル、アクリル樹脂系、パラフィンワックスのうちの少なくとも何れか一種類を用いる。
更に具体的な使用例としては、例えば５，０００ｍ２当りプロピサミドを２ｋｇの薬量で使用する場合に、この農薬に対してオレフィン系の固着剤を適量（１，０００リットル当り３００ｃｃ〜４００ｃｃ投入）添加した混合農薬を製造した。オレフィン系固着剤は、他の固着剤とは異なり、植物の気泡部分には農薬を固着させず、他の部位に対する強い固着力を発揮させるため、植物環境にやさしい特性を有している。固着剤を農薬を併用した本発明の混合農薬によれば、農薬本来の効力を維持しながらも、太陽光中の紫外線による分触分離能力を半減させる程度までカットできるため、紫外線に起因した農薬の分解を防止することができる。このため、農薬の使用量を半減することができ、余剰農薬の流出、飛散等による土壌中及び水系に対する汚染を有効に防止することができることとなる。
実際の使用に際しては、農薬に対して予め固着剤を混合した混合農薬を作成しておき、これを一括して植物に散布するのが便利で好ましい。
なお、オレフィン系以外の固着剤、例えば酢酸ビニル、アクリル樹脂系、パラフィンワックス等を用いたとしても同様の効果を得ることができる。
以上のように本発明の第１実施形態に係る混合農薬によれば、除草剤、殺菌剤、殺虫剤等の農薬の使用量を半減させるために、農薬に固着剤（酢酸ビニル、アクリル樹脂系、パラフィンワックス）を適量混ぜて使用するようにした。その結果、従来散布した農薬の約半分の量が紫外線によって分解されていたという無駄をなくし、農薬コストを低減すると共に、農薬の大量使用による環境への悪影響までも解消することができる。
【０００８】
［第２の実施形態］
次に、本発明の第２の実施形態にかかるグリーンの床土（床砂）構造は、グリーンの土壌を全面地下排水構造とするために、砂を主体とした床土構造とすることを目的としており、この目的を達成するために、砂を主体としたゴルフ場のグリーンの床土において、砂の粒径分布、及び各粒径範囲に属する砂の配合％を、
粒径０．１〜０．２５ｍｍの粗砂を、５％未満
粒径０．２５〜０．５ｍｍの粗砂を、５〜１０％
粒径０．５〜１．５ｍｍの粗砂を、７０〜８０％
粒径１．５〜２．０ｍｍの粗砂を、１０〜１５％
粒径２．０ｍｍ以上の礫を、５％未満
とした構成が特徴的である。
図１は上記配合例にて形成した床土の一例の拡大図（粒径が小さく配合量の少ない砂粒は図示を省略）であり、このように粒径２．０ｍｍ以上の粗砂、或いは礫と、０．５〜１．５ｍｍの粗砂を中心とした配合となっている。
前述の如く我が国のゴルフ場におけるグリーンの床土は、米国式の配合を採用しているが、粘土、シルトの他に、粒径０．０５〜０．２５ｍｍ程度の細砂を多く含む米国方式は我が国の気温、気候、湿度に必ずしも適合した方式ではなく、水管理（ウォーターコントロール）という点において問題が発生している。グリーンの床土を４年以上の長期に渡って全面排水構造とし、これを維持するためには、本発明者が提案した上記粒径範囲の砂を、上記の割合にて配合することにより形成した床土が最適である。このような床土構造を採用することによって、排水性と、表面の乾燥性を長期に渡って維持することが可能となる。
このような配合を備えた床土は、通常グリーンの表層から３０〜４０ｃｍの深さまで形成するが、通常芝草（ベント、コーライを含む）が根を張る深さ範囲である２０ｃｍ未満程度の深さとしても良い。
この実施形態により造成した床土を備えたグリーンにおいては、排水性が全面に亘って良好となり、その状態が４年以上の長期に渡って継続するため、必要以上の水を芝に与えることに起因した病気その他の障害が発生することがなく、管理が容易となる。つまり、労働力の省力化にもつながることにもなる。
なお、上記実施形態では、本発明をゴルフ場のグリーンの床土に適用する場合について説明したが、本発明はグリーン以外の芝草を育成する土壌一般に適用することができる。
【０００９】
【発明の効果】
以上のように本発明によれば、コストや手数を増大させることなく、紫外線による分解や雨水による流出を最小限に抑えることにより、減農薬を実現することができる混合農薬を提供することができる。また、グリーンの表層から３０〜４０ｃｍの層厚に展開する床土を長期に渡って透水性の高い状態に維持することにより芝の根つきを改善したグリーンの床土構造を提供することができる。
【図面の簡単な説明】
【図１】本発明の一実施形態に係る配合例にて形成した床土の一例の拡大図。
【図２】従来の米国式の床土の配合例を示す図。
【図３】従来の米国式の床土の砂粒の配合例を示す略図。
【図１】
2004269391.tif 000004
【図２】
2004269391.tif 000005
【図３】
2004269391.tif 000006